【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
コンピュータから制御可能に接続された表示装置及びタッチパネル装置に対し、前記表示装置の表示形態に対応した前記タッチパネル装置のキャリブレーション制御方法であって、
前記コンピュータにインストールされたコントロールソフトウェアが、表示モードの変更コマンドを前記表示装置に送信するステップと、
前記変更コマンドを受信した表示装置が、該変更コマンドで変更された表示モードの画像を表示部に表示するステップと、
前記コントロールソフトウェアが、キャリブレーション実行コマンドを前記コンピュータにインストールされたタッチパネルドライバに送信するステップと、
前記キャリブレーション実行コマンドを受信した前記タッチパネルドライバが、受信した実行コマンドの表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、
を含むことを特徴とするタッチパネル装置のキャリブレーション制御方法。
【請求項２】
コンピュータから制御可能に接続された表示装置及びタッチパネル装置に対し、前記表示装置の表示形態に対応した前記タッチパネル装置のキャリブレーション制御方法であって、
前記コンピュータにインストールされたコントロールソフトウェアが、表示モードの変更コマンドを前記表示装置に送信するステップと、
前記変更コマンドを受信した表示装置が、該変更コマンドで変更された表示モードの画像を表示部に表示するステップと、
前記コントロールソフトウェアが、前記表示部に表示されている画像の表示モードを確認する確認コマンドを前記表示装置に対して送信するステップと、
前記表示装置が前記確認コマンドを受信することにより、前記表示部に表示されている画像の表示モードを返信するステップと、
前記コントロールソフトウェアが、前記返信された表示モードと前記変更コマンドにより変更された後の表示モードとを比較し、両者の表示モードが一致していた場合、キャリブレーション実行コマンドを前記コンピュータにインストールされたタッチパネルドライバに送信するステップと、
前記キャリブレーション実行コマンドを受信した前記タッチパネルドライバが、受信した実行コマンドの表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、
を含むことを特徴とするタッチパネル装置のキャリブレーション制御方法。
【請求項３】
コンピュータから制御可能に接続された表示装置及びタッチパネル装置に対し、前記表示装置の表示形態に対応した前記タッチパネル装置のキャリブレーション制御方法であって、
前記コンピュータにインストールされたコントロールソフトウェアが、前記表示装置の前記表示部に表示されている画像の表示モードを確認する確認コマンドを定期的に前記表示装置に対して送信し、
前記表示装置が、前記確認コマンドを受信する毎に、前記表示部に表示されている画像の表示モードを返信し、
返信された前記表示モードが変化したとき、前記コントロールソフトウェアは、キャリブレーション実行コマンドを前記コンピュータにインストールされたタッチパネルドライバに送信し、
前記キャリブレーション実行コマンドを受信した前記タッチパネルドライバは、受信した実行コマンドの表示モードに適したキャリブレーションプリセット値をキャリブレーションプリセット値保存領域から読みとるか、若しくは、既に合わせているキャリブレーションから算出して、前記表示部に表示されている画像の表示モードに応じたキャリブレーションを前記タッチパネル装置に実行させることを特徴とするタッチパネル装置のキャリブレーション制御方法。
【請求項４】
コンピュータから制御可能に接続された表示装置及びタッチパネル装置に対し、前記表示装置の表示形態に対応した前記タッチパネル装置のキャリブレーション制御方法であって、
前記コンピュータにインストールされたコントロールソフトウェアが、前記表示装置の表示部に表示されている画像の表示モードを確認する確認コマンドを表示装置に対して送信するステップと、
前記表示装置が、確認コマンドを受信することにより、前記表示部に表示されている画像の表示モードを返信するステップと、
前記コントロールソフトウェアが、返信された表示モードに応じて、切り替え後の表示モードを決定するステップと、
前記コントロールソフトウェアが、前記表示装置の表示制御部に対して、決定された切り替え後の表示モードに変更するように、切替コマンドを送信するステップと、
前記表示装置が、前記切替コマンドで指示された表示モードに変更された画像を表示部に表示するステップと、
前記コントロールソフトウェアが、前記切替コマンドにより変更された表示部の表示モードを確認する確認コマンドを表示装置に対して送信するステップと、
前記表示装置が、前記確認コマンドを受信することにより、前記切替コマンドにより変更された表示部に表示されている画像の表示モードを返信するステップと、
前記コントロールソフトウェアが、前記返信された表示モードと前記決定された切り替え後の表示モードとを比較し、両者の表示モードが一致していた場合、前記切り替え後の表示モードに応じたキャリブレーション実行コマンドを前記コンピュータにインストールされたタッチパネルドライバに送信するステップと、
前記キャリブレーション実行コマンドを受信した前記タッチパネルドライバが、受信した実行コマンドの表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、
を含むことを特徴とするタッチパネル装置のキャリブレーション制御方法。
【請求項５】
コンピュータから制御可能に接続された表示装置及びタッチパネル装置に対し、前記表示装置の表示形態に対応した前記タッチパネル装置のキャリブレーション制御方法であって、
前記コンピュータで起動しているアプリケーションソフトウェアに適した表示モードを決定するステップと、
前記コンピュータにインストールされたコントロールソフトウェアが、前記表示装置に対して、決定した前記表示モードへ変更するように、変更コマンドを送信するステップと、
変更された表示モードの画像を前記表示装置の表示部に表示するステップと、
前記コントロールソフトウェアが、前記表示部に表示されている画像の表示モードを確認する確認コマンドを前記表示装置に対して送信するステップと、
前記表示装置が、確認コマンドを受信することにより、前記表示部に表示されている画像の表示モードを返信するステップと、
前記コントロールソフトウェアが、前記返信された表示モードと前記決定した表示モードとを比較し、両者の表示モードが一致していた場合、前記切り替え後の表示モードに応じたキャリブレーション実行コマンドを前記コンピュータにインストールされたタッチパネルドライバに送信するステップと、
前記キャリブレーション実行コマンドを受信した前記タッチパネルドライバが、受信した実行コマンドの表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、
を含むことを特徴とするタッチパネル装置のキャリブレーション制御方法。
【請求項６】
前記コントロールソフトウェアの機能を前記アプリケーションソフトウェアの中に含んでいることを特徴とする請求項５に記載のタッチパネル装置のキャリブレーション制御方法。
【請求項７】
コンピュータから制御可能に接続された表示装置及びタッチパネル装置に対し、前記表示装置の表示形態に対応した前記タッチパネル装置のキャリブレーション制御プログラムであって、
表示モードの変更コマンドを前記表示装置に送信するステップと、
前記表示部に表示されている画像の表示モードを確認する確認コマンドを前記表示装置に対して送信するステップと、
前記表示装置から返信された、前記表示部に表示されている画像の表示モードを受信するステップと、
前記返信された表示モードと前記変更コマンドにより変更された後の表示モードとを比較し、両者の表示モードが一致していた場合、該表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、
を前記コンピュータに実行させることを特徴とするタッチパネル装置のキャリブレーション制御プログラム。
【請求項８】
接続された表示装置及びタッチパネル装置に対し、前記表示装置の表示形態に対応した前記タッチパネル装置のキャリブレーションを制御する装置であって、
表示モードの変更コマンドを前記表示装置に送信する手段と、
前記表示部に表示されている画像の表示モードを確認する確認コマンドを前記表示装置に対して送信する手段と、
前記表示装置から返信された、前記表示部に表示されている画像の表示モードを受信する手段と、
前記返信された表示モードと前記変更コマンドにより変更された後の表示モードとを比較し、両者の表示モードが一致していた場合、前記変更コマンドにより変更された後の表示モードに適したキャリブレーションプリセット値をキャリブレーションプリセット値保存領域から読みとるか、若しくは、既に合わせているキャリブレーションから算出し、前記タッチパネル装置にキャリブレーションを実行させる手段と、
を有することを特徴とするタッチパネル装置のキャリブレーション制御装置。
【手続補正２】
【補正対象書類名】明細書
【補正対象項目名】０００９
【補正方法】変更
【補正の内容】
【０００９】
請求項１に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータにインストールされたコントロールソフトウェアが、表示モードの変更コマンドを前記表示装置に送信するステップと、前記変更コマンドを受信した表示装置が、該変更コマンドで変更された表示モードの画像を表示部に表示するステップと、前記コントロールソフトウェアが、キャリブレーション実行コマンドを前記コンピュータにインストールされたタッチパネルドライバに送信するステップと、前記キャリブレーション実行コマンドを受信した前記タッチパネルドライバが、受信した実行コマンドの表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、を含むことを特徴とする。
請求項２に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータにインストールされたコントロールソフトウェアが、表示モードの変更コマンドを前記表示装置に送信するステップと、前記変更コマンドを受信した表示装置が、該変更コマンドで変更された表示モードの画像を表示部に表示するステップと、前記コントロールソフトウェアが、前記表示部に表示されている画像の表示モードを確認する確認コマンドを前記表示装置に対して送信するステップと、前記表示装置が前記確認コマンドを受信することにより、前記表示部に表示されている画像の表示モードを返信するステップと、前記コントロールソフトウェアが、前記返信された表示モードと前記変更コマンドにより変更された後の表示モードとを比較し、両者の表示モードが一致していた場合、キャリブレーション実行コマンドを前記コンピュータにインストールされたタッチパネルドライバに送信するステップと、前記キャリブレーション実行コマンドを受信した前記タッチパネルドライバが、受信した実行コマンドの表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、を含むことを特徴とする。
【手続補正３】
【補正対象書類名】明細書
【補正対象項目名】００１０
【補正方法】変更
【補正の内容】
【００１０】
請求項３に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータにインストールされたコントロールソフトウェアが、前記表示装置の前記表示部に表示されている画像の表示モードを確認する確認コマンドを定期的に前記表示装置に対して送信し、前記表示装置が、前記確認コマンドを受信する毎に、前記表示部に表示されている画像の表示モードを返信し、返信された前記表示モードが変化したとき、前記コントロールソフトウェアは、キャリブレーション実行コマンドを前記コンピュータにインストールされたタッチパネルドライバに送信し、前記キャリブレーション実行コマンドを受信した前記タッチパネルドライバは、受信した実行コマンドの表示モードに適したキャリブレーションプリセット値をキャリブレーションプリセット値保存領域から読みとるか、若しくは、既に合わせているキャリブレーションから算出して、前記表示部に表示されている画像の表示モードに応じたキャリブレーションを前記タッチパネル装置に実行させることを特徴とする。
【手続補正４】
【補正対象書類名】明細書
【補正対象項目名】００１１
【補正方法】変更
【補正の内容】
【００１１】
請求項４に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータにインストールされたコントロールソフトウェアが、前記表示装置の表示部に表示されている画像の表示モードを確認する確認コマンドを表示装置に対して送信するステップと、前記表示装置が、確認コマンドを受信することにより、前記表示部に表示されている画像の表示モードを返信するステップと、前記コントロールソフトウェアが、返信された表示モードに応じて、切り替え後の表示モードを決定するステップと、前記コントロールソフトウェアが、前記表示装置の表示制御部に対して、決定された切り替え後の表示モードに変更するように、切替コマンドを送信するステップと、前記表示装置が、前記切替コマンドで指示された表示モードに変更された画像を表示部に表示するステップと、前記コントロールソフトウェアが、前記切替コマンドにより変更された表示部の表示モードを確認する確認コマンドを表示装置に対して送信するステップと、前記表示装置が、前記確認コマンドを受信することにより、前記切替コマンドにより変更された表示部に表示されている画像の表示モードを返信するステップと、前記コントロールソフトウェアが、前記返信された表示モードと前記決定された切り替え後の表示モードとを比較し、両者の表示モードが一致していた場合、前記切り替え後の表示モードに応じたキャリブレーション実行コマンドを前記コンピュータにインストールされたタッチパネルドライバに送信するステップと、前記キャリブレーション実行コマンドを受信した前記タッチパネルドライバが、受信した実行コマンドの表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、を含むことを特徴とする。
【手続補正５】
【補正対象書類名】明細書
【補正対象項目名】００１２
【補正方法】変更
【補正の内容】
【００１２】
請求項５に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータで起動しているアプリケーションソフトウェアに適した表示モードを決定するステップと、前記コンピュータにインストールされたコントロールソフトウェアが、前記表示装置に対して、決定した前記表示モードへ変更するように、変更コマンドを送信するステップと、変更された表示モードの画像を前記表示装置の表示部に表示するステップと、前記コントロールソフトウェアが、前記表示部に表示されている画像の表示モードを確認する確認コマンドを前記表示装置に対して送信するステップと、前記表示装置が、確認コマンドを受信することにより、前記表示部に表示されている画像の表示モードを返信するステップと、前記コントロールソフトウェアが、前記返信された表示モードと前記決定した表示モードとを比較し、両者の表示モードが一致していた場合、前記切り替え後の表示モードに応じたキャリブレーション実行コマンドを前記コンピュータにインストールされたタッチパネルドライバに送信するステップと、前記キャリブレーション実行コマンドを受信した前記タッチパネルドライバが、受信した実行コマンドの表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、を含むことを特徴とする。
【手続補正６】
【補正対象書類名】明細書
【補正対象項目名】００１３
【補正方法】変更
【補正の内容】
【００１３】
請求項７に記載のタッチパネル装置のキャリブレーション制御プログラムは、コンピュータから制御可能に接続された表示装置及びタッチパネル装置に対し、前記表示装置の表示形態に対応した前記タッチパネル装置のキャリブレーション制御プログラムであって、表示モードの変更コマンドを前記表示装置に送信するステップと、前記表示部に表示されている画像の表示モードを確認する確認コマンドを前記表示装置に対して送信するステップと、前記表示装置から返信された、前記表示部に表示されている画像の表示モードを受信するステップと、前記返信された表示モードと前記変更コマンドにより変更された後の表示モードとを比較し、両者の表示モードが一致していた場合、該表示モードに適したキャリブレーションプリセット値をキャリブレーションプリセット値保存領域から読みとるか、若しくは、既に合わせているキャリブレーションから算出し、前記タッチパネル装置のキャリブレーションを実行させるステップと、を前記コンピュータに実行させることを特徴とする。
【手続補正７】
【補正対象書類名】明細書
【補正対象項目名】００１４
【補正方法】変更
【補正の内容】
【００１４】
請求項８に記載のタッチパネル装置のキャリブレーション制御装置は、接続された表示装置及びタッチパネル装置に対し、前記表示装置の表示形態に対応した前記タッチパネル装置のキャリブレーションを制御する装置であって、表示モードの変更コマンドを前記表示装置に送信する手段と、前記表示部に表示されている画像の表示モードを確認する確認コマンドを前記表示装置に対して送信する手段と、前記表示装置から返信された、前記表示部に表示されている画像の表示モードを受信する手段と、前記返信された表示モードと前記変更コマンドにより変更された後の表示モードとを比較し、両者の表示モードが一致していた場合、前記変更コマンドにより変更された後の表示モードに適したキャリブレーションプリセット値をキャリブレーションプリセット値保存領域から読みとるか、若しくは、既に合わせているキャリブレーションから算出し、前記タッチパネル装置にキャリブレーションを実行させる手段と、を有することを特徴とする。